(57)【要約】【課題】ステレオ放射線画像の視認性をより確実に向上させる。【解決手段】放射線画像表示装置は、ステレオ表示のための互いに視差のある一対の放射線画像から構成されるステレオ放射線画像を取得し、取得されたステレオ放射線画像に強調処理を施して強調ステレオ放射線画像を得る。放射線画像表示装置は、強調ステレオ放射線画像を用いた第１のステレオ表示を実行した後、取得されたステレオ放射線画像を用いた第２のステレオ表示へ切り替える。【選択図】  図１
2015188534.tif 000002
【特許請求の範囲】
【請求項１】
放射線画像表示装置であって、
ステレオ表示のための互いに視差のある一対の放射線画像から構成されるステレオ放射線画像を取得する取得手段と、
前記ステレオ放射線画像に強調処理を施して強調ステレオ放射線画像を得る画像処理手段と、
前記強調ステレオ放射線画像を用いた第１のステレオ表示から、前記取得手段により取得された前記ステレオ放射線画像を用いた第２のステレオ表示へ切り替える切替手段と、を備えることを特徴とする放射線画像表示装置。
【請求項２】
前記強調処理は、前記一対の放射線画像のそれぞれ、または該一対の放射線画像からステレオ表示用に生成された合成画像についてコントラスト強調処理、鮮鋭化処理または輪郭強調処理であることを特徴とする請求項１に記載の放射線画像表示装置。
【請求項３】
前記画像処理手段は、前記一対の放射線画像のそれぞれまたは前記合成画像に周波数強調処理を行うことを特徴とする請求項２に記載の放射線画像表示装置。
【請求項４】
前記画像処理手段は、前記一対の放射線画像のそれぞれまたは前記合成画像に明暗強調処理を行うことを特徴とする請求項２に記載の放射線画像表示装置。
【請求項５】
前記画像処理手段は、前記一対の放射線画像のそれぞれまたは前記合成画像から輪郭を抽出して得られた輪郭画像を前記一対の処理された画像として得ることを特徴とする請求項２に記載の放射線画像表示装置。
【請求項６】
前記画像処理手段は、前記ステレオ放射線画像に関連付けられた撮影部位の情報に基づいて前記強調処理のパラメータを決定することを特徴とする請求項２乃至５のいずれか１項に記載の放射線画像表示装置。
【請求項７】
前記切替手段は、別の強調ステレオ放射線画像によるステレオ表示に引き続いて前記取得手段により取得された前記ステレオ放射線画像をステレオ表示する場合には、前記第１のステレオ表示を省略することを特徴とする請求項１乃至６のいずれか１項に記載の放射線画像表示装置。
【請求項８】
前記切替手段は、ユーザからの切替指示に応じて前記第１の表示から前記第２の表示への切り替えることを特徴とする請求項１乃至７のいずれか１項に記載の放射線画像表示装置。
【請求項９】
前記切替手段は、前記第１の表示を開始してから、予め定められた時間が経過した時点で前記第２の表示への切り替えが完了するように表示を切り替えることを特徴とする請求項１乃至７のいずれか１項に記載の放射線画像表示装置。
【請求項１０】
前記切替手段は、前記第１の表示から前記第２の表示へモーフィングを経て切り替えることを特徴とする請求項８または９に記載の放射線画像表示装置。
【請求項１１】
前記取得手段は、放射線撮影を行って前記一対の放射線画像を取得することを特徴とする請求項１乃至１０のいずれか１項に記載の放射線画像表示装置。
【請求項１２】
放射線画像表示装置であって、
ステレオ表示のための互いに視差のある一対の放射線画像を撮影する撮影手段と、
前記一対の放射線画像に関連付けられている撮影情報に基づいて、過去に撮影された他の一対の放射線画像から構成される他のステレオ放射線画像を選択する選択手段と、
前記選択手段により選択された前記他のステレオ放射線画像に強調処理を施して強調ステレオ放射線画像を得る画像処理手段と、
前記強調ステレオ放射線画像を用いた第１のステレオ表示から、前記撮影手段により得られた前記一対の放射線画像から構成されるステレオ放射線画像を用いた第２のステレオ表示へ切り替える切替手段と、を備えることを特徴とする放射線画像表示装置。
【請求項１３】
前記切替手段は、
前記撮影手段に先立って前記第１の表示を行い、
前記撮影手段により前記一対の放射線画像が取得されると、前記第１の表示から前記第２の表示へ切り替えることを特徴とする請求項１２に記載の放射線画像表示装置。
【請求項１４】
前記選択手段は、過去に撮影された、前記撮影情報が示す被検者及び撮影部位と同一の被検者及び撮影部位のステレオ放射線画像を、前記他のステレオ放射線画像として選択することを特徴とする請求項１２または１３に記載の放射線画像表示装置。
【請求項１５】
前記選択手段は、過去に撮影された、前記撮影情報が示す被検者の体格との差異が所定範囲内である体格を有する被検者の、前記撮影情報が示す撮影部位と同じ撮影部位のステレオ放射線画像を前記他のステレオ放射線画像として選択することを特徴とする請求項１２または１３に記載の放射線画像表示装置。
【請求項１６】
放射線画像表示装置の制御方法であって、
ステレオ表示のための互いに視差のある一対の放射線画像から構成されるステレオ放射線画像を取得する取得工程と、
前記ステレオ放射線画像に強調処理を施して強調ステレオ放射線画像を得る画像処理工程と、
前記強調ステレオ放射線画像を用いた第１のステレオ表示から、前記取得工程で取得された前記ステレオ放射線画像を用いた第２のステレオ表示へ切り替える切替工程と、を有することを特徴とする放射線画像表示装置の制御方法。
【請求項１７】
放射線画像表示装置の制御方法であって、
ステレオ表示のための互いに視差のある一対の放射線画像を撮影する撮影工程と、
前記一対の放射線画像に関連付けられている撮影情報に基づいて、過去に撮影された他の一対の放射線画像から構成される他のステレオ放射線画像を選択する選択工程と、
前記選択工程で選択された前記他のステレオ放射線画像に強調処理を施して強調ステレオ放射線画像を得る画像処理工程と、
前記強調ステレオ放射線画像を用いた第１のステレオ表示から、前記撮影工程で得られた前記一対の放射線画像から構成されるステレオ放射線画像を用いた第２のステレオ表示へ切り替える切替工程と、を有することを特徴とする放射線画像表示装置の制御方法。
【発明の詳細な説明】
【技術分野】
【０００１】
本発明は、Ｘ線画像を立体視可能に表示するＸ線画像表示装置およびその制御方法に関す。
【背景技術】
【０００２】
一般的に立体視画像に基づく立体視は、慣れや得意不得意によって左右され、観察者によっては時間がかかったり疲労感を感じたりするものである。そのため、立体視しやすい線によって形作られた立体的形状を立体視することで、立体視をより迅速かつ容易にして観察者への負荷をより軽減する方法が提案されている（特許文献１参照）。
【先行技術文献】
【特許文献】
【０００３】
【特許文献１】特開２０１２−０７０８２３号公報
【発明の概要】
【発明が解決しようとする課題】
【０００４】
しかしながら、特許文献１の方法では、立体的形状と実際に診断するステレオＸ線画像の形状との違いが大きい。そのため、観察者が立体的形状の立体視は容易にできても、医師などの観察者が撮影されたステレオＸ線静止画やステレオＸ線動画の観察において骨や内臓などの組織の輪郭の把握を迅速に行えないという課題がある。ステレオＸ線画像の観察におけるこのような画像内容の把握の遅延は、患者の待機時間が長くなることや、手術中の動画撮影時間が長くなることによる無効被ばくの発生の原因になると考えられる。
【０００５】
本発明は、上記課題に鑑みてなされたものであり、ステレオ放射線画像の視認性をより確実に向上させる放射線画像表示装置およびその制御方法を提供することを目的とする。
【課題を解決するための手段】
【０００６】
上記の目的を達成するための本発明の一態様による放射線画像表示装置は以下の構成を備える。すなわち、
ステレオ表示のための互いに視差のある一対の放射線画像から構成されるステレオ放射線画像を取得する取得手段と、
前記ステレオ放射線画像に強調処理を施して強調ステレオ放射線画像を得る画像処理手段と、
前記強調ステレオ放射線画像を用いた第１のステレオ表示から、前記取得手段により取得された前記ステレオ放射線画像を用いた第２のステレオ表示へ切り替える切替手段と、を備える。
【発明の効果】
【０００７】
本発明によれば、ステレオ放射線画像の視認性をより確実に向上させることができるため、検査時間の短縮を可能にし、患者の待機時間短縮や透視撮影の際の無効被ばくの危険を低減することができる。
【図面の簡単な説明】
【０００８】
【図１】各実施形態に係る医用システムの構成図。
【図２】各実施形態に係るステレオＸ線画像の表示処理を示すフローチャート。
【図３】第１実施形態に係るＸ線画像表示画面の一例を示す図。
【図４】第２実施形態に係るＸ線画像表示画面の一例を示す図。
【図５】第６実施形態に係るＸ線画像表示画面の一例を示す図。
【図６】Ｘ線発生装置の他の構成例を示す図。
【発明を実施するための形態】
【０００９】
以下、添付の図面を参照して本発明の好適な実施形態を説明する。尚、以下の実施形態は特許請求の範囲に係る発明を限定するものでなく、また本実施形態で説明されている特徴の組み合わせの全てが本願の発明に必須のものとは限らない。たとえば、以下では放射線としてＸ線画像を処理する構成を説明するが、本発明は他の放射線を利用した放射線画像に適用できる。したがって、たとえば以下の実施形態で記載されているＸ線源、Ｘ線画像表示、ステレオＸ線画像、強調ステレオＸ線画像などは、それぞれ放射線源、放射線画像表示、ステレオ放射線画像、強調ステレオ放射線画像などの一例である。
【００１０】
＜第１実施形態＞
図１は第１実施形態に係る医用システムの構成図の一例を示したものである。図１において放射線撮影装置の一例であるＸ線画像撮影装置１０５は、Ｘ線を放射するＸ線発生部１０６、被写体を透過したＸ線信号を画像化するセンサ部１０９を有する。Ｘ線発生部１０６は、左目画像を撮影するための第１Ｘ線源１０７および右目画像を撮影するための第２Ｘ線源１０８を有する。それぞれのＸ線源から放射されて被写体を透過したＸ線の信号はセンサ部１０９で画像化され、左目用のＸ線画像１１０および右目用のＸ線画像１１１が得られ、Ｘ線画像表示装置の一例である制御装置１０１へ転送される。
【００１１】
制御装置１０１は、液晶ディスプレイなどを有する表示部１０２、キーボード、マウス、タッチパネルなどを有してユーザの操作入力を受け付ける操作部１０３、各種制御を実現する制御部１０４、画像データ等の各種データを記憶する記憶部１１３を有する。表示部１０２は、画像データやＧＵＩ（グラフィカルユーザインタフェース）などを画面に表示する。制御部１０４は、ＲＯＭ１２２やＲＡＭ１２３に記憶されているプログラムを実行するＣＰＵ１２１を有し、Ｘ線画像撮影装置１０５を制御して撮影を行ったり、撮影されたステレオＸ線画像を用いてステレオ表示を行ったりする。
【００１２】
操作者は操作部１０３で検査に必要な情報やコマンドを入力したり、Ｘ線撮影指示を行ったりする。制御部１０４は、Ｘ線画像撮影装置１０５から転送されたステレオＸ線画像（左目用のＸ線画像１１０および右目用のＸ線画像１１１）を用いて表示部１０２にステレオ表示する。また、制御部１０４では、検査の開始終了処理、受信したＸ線画像の編集、検査情報の生成等を行う。制御装置１０１で生成された検査情報とＸ線撮影画像は、操作者の指示により外部機器１１２に転送される。外部機器１１２は制御装置１０１から転送されたＸ線画像を保存、表示するための外部システムである。外部機器１１２と制御装置１０１は、たとえば一般的なＰＡＣＳ（Picture Archiving and Communication System）を実現する。
【００１３】
以上のような構成を備えた本実施形態の医用システムにおける、制御部１０４のステレオ画像表示処理について図２のフローチャートを参照して説明する。操作者による操作部１０３への操作に応じて、制御部１０４はＸ線画像撮影装置１０５やデータベースとして機能する外部機器１１２からステレオ表示のためのステレオＸ線画像を含む撮影情報を取得する（ステップＳ２０１）。なお、ステレオＸ線画像は、ステレオ表示のための互いに視差のある一対のＸ線画像から構成される。本明細書において、ステレオＸ線画像とは、分離された一対のＸ線画像であってもよいし、一対のＸ線画像をステレオ表示用に合成して得られた合成画像であってもよい。また、撮影情報には、Ｘ線撮影の対象である患者の情報や撮影部位などが含まれる。
【００１４】
次に、制御部１０４は、取得した一対のＸ線画像についてステレオ表示を行うのに先立って強調ステレオＸ線画像をステレオ表示するか否かを判定する（ステップＳ２０２）。強調ステレオＸ線画像のステレオ表示とは、通常のステレオ表示を行う前に、立体視しやすいステレオ表示を行って操作者がより迅速にステレオＸ線画像の観察に対応できるようにするものである。したがって、たとえば、既にＸ線画像がステレオ表示されている場合は、操作者がステレオ視に慣れていると考えられるため、強調ステレオＸ線画像を用いたステレオ表示は省略される。強調ステレオＸ線画像の表示を省略する条件（実行する条件）について更に説明する。
【００１５】
たとえば、強調ステレオＸ線画像の表示を省略する条件として、上述の、
・「現在Ｘ線画像がステレオ表示されている」こと、に加えて、
・「現在ステレオ表示されているＸ線画像とこれからステレオ表示するＸ線画像で撮影条件（撮影対象の被検者および撮影部位）が変わっていない」ことを用いてもよい。すなわち、ステップＳ２０１で取得した撮影情報に基づいて、前の撮影と同じ条件で撮影されたステレオＸ線画像が表示されているかを確認する。例えば、一つの検査内で同じ部位の撮影を複数枚行う検査において既にステレオＸ線画像が表示されている場合は、操作者がステレオＸ線画像に慣れていることが予測されるため、強調ステレオＸ線画像の表示を省略することができる。他方、撮影部位が異なる、操作者が異なるなど、撮影条件が違う撮影が行われた場合、前の撮影から一定時間以上経過している場合、Ｘ線画像が通常の２次元表示（以下、平面表示）されている場合などでは操作者がステレオＸ線画像に慣れていないと判断される。したがって、これらの場合には、強調ステレオＸ線画像の表示を実行するように決定される。ただし、強調ステレオＸ線画像の表示を実行するか否かの判定条件は、上述した例に限られるものではない。
【００１６】
強調ステレオＸ線画像を表示しないと判定された場合は、制御部１０４は、ステップＳ２０１で取得された一対のＸ線画像を用いて通常のステレオＸ線画像によるステレオ表示を行う（ステップＳ２０６）。一方、強調ステレオＸ線画像の表示を行うと判定された場合、制御部１０４は、ステップＳ２０１で取得した一対のＸ線画像のそれぞれに対して画像処理を行う（ステップＳ２０３）。制御部１０４は、ステップＳ２０３で処理された一対のＸ線画像を強調ステレオＸ線画像として用いて表示部１０２にステレオ表示する（ステップＳ２０４）。
【００１７】
なお、画像処理では、一対のＸ線画像のそれぞれについてコントラスト強調処理、鮮鋭化処理または輪郭強調処理などの強調処理を行う。強調処理のより具体的な例としては、周波数強調処理、明暗強調処理、輪郭強調処理などが挙げられる。また、撮影部位などに応じて強調処理のパラメータを調整して、撮影部位に適した強調ステレオＸ線画像を生成するようにしてもよい。たとえば、強調処理として周波数強調処理を用いた場合に、ステップＳ２０１で取得された撮影情報が示す撮影部位に応じて強調する空間周波数を決定し、強調パラメータを調整してもよい。これにより、取得された一対のＸ線画像のそれぞれについて、その撮影部位に適した周波数強調を行うことが可能になる。また、輪郭強調処理では、輪郭画像を抽出するようにしてもよい。また、強調処理は、ステレオ表示のための互いに視差のある一対のＸ線画像のそれぞれに個別に実行されてよいし、一対のＸ線画像を合成して得られたステレオ表示用の合成画像について実行されてもよい。なお、ステレオ表示用の合成画像とは、たとえば、左目用の画像と右目用の画像を短冊状に分割して交互に並べて得られるものが挙げられる。
【００１８】
操作部１０３を介して操作者により強調ステレオＸ線画像から通常のステレオＸ線画像に表示を切り替える切替指示（ステップＳ２０５）が入力されると、制御部１０４は表示部１０２に通常のステレオＸ線画像表示を行う（ステップＳ２０６）。ステップＳ２０６における通常のステレオＸ線画像表示では、ステップＳ２０１で取得された一対のＸ線画像を用いたステレオＸ線画像が表示される。その後、操作部１０３を介して検査または診断の終了が指示される（ステップＳ２０７）まで、上述の処理が繰り返される。なお、ステップＳ２０６におけるステレオ表示への切り替えは、強調ステレオＸ線画像から通常のステレオＸ線画像に直ちに切り替わってもよいし、モーフィング処理等により徐々に切り替わるようにしてもよい。
【００１９】
次に図３を参照して、本実施形態におけるＸ線画像のステレオ表示を説明する。図３は表示部１０２と操作部１０３により提供されるＧＵＩを表示する表示ウィンドウ３０１を示す図である。表示ウィンドウ３０１において、画像表示部３０２には、Ｘ線画像撮影装置やデータベースから取得した画像が表示される。上述した強調ステレオＸ線画像や通常のステレオＸ線画像のステレオ表示は、画像表示部３０２で行われる。患者情報表示部３０３には、表示中のＸ線画像に対応する患者情報が表示される。患者情報は、たとえばステップＳ２０１で取得される撮影情報に含まれている。検査情報表示部３０４には、検査番号や撮影プロトコル、撮影済みのサムネイル画像などが表示される。
【００２０】
終了ボタン３０７は、検査の完了を指示するボタンであり、終了ボタン３０７の押下によって図２で説明した処理が終了する（ステップＳ２０７）。すなわち、操作者は、必要な検査が完了した場合、または必要な読影が完了した場合に、終了ボタン３０７を押下することで上述した一連の表示処理を終了させることができる。平面／ステレオ切替ボタン３０５は、画像表示部３０２における表示を平面表示とステレオ表示で切り替えるためのボタンである。なお、平面表示とは、通常の２次元表示であり、ステレオ表示のための一対のＸ線画像のうちの一方を用いた表示である。強調オン／オフ切替ボタン３０６は、強調ステレオＸ線画像表示と通常のステレオＸ線画像表示を切り替えるための切替指示を行うボタンである。強調ステレオＸ線画像表示中に強調オン／オフ切替ボタン３０６が押下されると、ステップＳ２０５、Ｓ２０６により通常のステレオＸ線画像表示に切り替わる。
【００２１】
なお、平面／ステレオ切替ボタン３０５によりＸ線画像の平面表示からステレオＸ線画像のステレオ表示に切替えられたときに、上述した強調ステレオＸ線画像表示を行うようにしてもよい。また、通常のステレオＸ線画像の表示中に強調オン／オフ切替ボタン３０６が押下されると、強調ステレオＸ線画像に表示が切り替わる。
【００２２】
以上のように、第１実施形態によれば、ステレオ表示の対象である一対のＸ線画像に画像処理（強調処理）を施して強調ステレオＸ線画像を表示するので、立体視の対象であるＸ線画像と同様であり、かつ、立体視になじみやすい画像を提供することができる。そのため、立体視に馴染んだ操作者はスムーズに通常のステレオ画像の観察へ移行することができる。また、特に撮影部位に適応した周波数強調を行うことにより、ステレオ画像の観察において部位の輪郭を認識しやすくなり、検査の正確性向上や患者の待機時間減少を図ることができる。
【００２３】
＜第２実施形態＞
第１実施形態においては、強調オン／オフ切替ボタン３０６の押下により、強調ステレオＸ線画像から通常のステレオＸ線画像へ表示を切り替える（ステップＳ２０６）構成を説明したが、これに限られるものではない。第２実施形態では、強調処理による強調度をユーザが指定可能とし、強調度をゼロとすることで通常のステレオＸ線画像の表示とする構成を説明する。なお、以下では強調処理として周波数強調処理を例に挙げて説明する。
【００２４】
図４は、第２実施形態における、Ｘ線画像のステレオ表示を行う表示ウィンドウ３０１を示す図である。この表示ウィンドウ３０１では、表示するステレオＸ線画像の周波数強調度を指定するためのコントロール４０１が設けられている。コントロール４０１は、たとえばスクロールバーや数値入力などで実現される。図４の例では、ポインタ４０２を用いた操作により所望の強調度を指定するコントロール４０１が示されている。操作者がコントロール４０１において周波数強調度を０％に指示することで、任意のタイミングで通常ステレオＸ線画像表示が行える。また、このような強調度を指定する構成によれば、操作者は周波数強調度を任意に指定することができ、所望の強調度で処理された画像によるステレオ画像を観察することができる。
【００２５】
なお、上記ではコントロール４０１により強調処理の強調度を変更したが、これに限られるものではない。たとえば、強調ステレオＸ線画像の表示と通常のステレオＸ線画像の表示を重ね、強調ステレオＸ線画像の透過度を調整するようにしてもよい。コントロール４０１は、強調ステレオＸ線画像の透過度を０％〜１００％の間で操作することができ、透過度を１００％にすると、通常のステレオＸ線画像の表示となる。
【００２６】
＜第３実施形態＞
第１実施形態においては、これからステレオ表示を行うＸ線画像に画像処理を施して強調ステレオＸ線画像を取得したが、これに限られるものではない。たとえば、ステップＳ２０１で取得された一対のＸ線画像に関連付けられている撮影情報に基づいて、過去に撮影された他の一対のＸ線画像を選択し、選択された他の一対のＸ線画像に強調処理を施して強調ステレオＸ線画像表示を行うようにしてもよい。この場合、他の一対のＸ線画像の選択条件として、たとえば次の何れかを用いることができる。
・撮影情報が示す被検者および撮影部位と同一の被検者および撮影部位のＸ線画像。
・撮影情報が示す被検者と体格が類似した被検者であり、撮影部位が示す撮影部位と同一の撮影部位のＸ線画像。（なお、体格が類似している被検者とは、たとえば、撮影情報が示す被検者の体格（身長、体重など）との差異が所定範囲内である体格を有する被検者である）。
【００２７】
＜第４実施形態＞
第１実施形態や第２実施形態では、操作者による強調オン／オフ切替ボタン３０６やコントロール４０１への操作により、強調ステレオＸ線画像の表示から通常のステレオＸ線画像の表示へ切り替わる構成を説明した。これら実施形態では、操作者による明示的な切替え指示により、強調ステレオＸ線画像と通常のステレオＸ線画像の表示の切替が行われる。第４実施形態では、予め設定された時間（設定時間）で強調ステレオＸ線画像の表示から通常のステレオＸ線画像の表示への切替が実行される構成を説明する。
【００２８】
たとえば、ステップＳ２０４において強調ステレオＸ線画像表示が開始されてから設定時間が経過した時点で通常のステレオＸ線画像の表示への切り替わりが完了する（ステップＳ２０５、Ｓ２０６）ようにする。その場合、ステップＳ２０４において強調ステレオＸ線画像表示が開始された時点より徐々に強調処理の強調度を低減させて、設定時間の経過した時点で通常ステレオＸ線画像の表示（強調度＝０％）となるようにしてもよい。或いは、強調ステレオＸ線画像表示から通常のステレオＸ線画像の表示への変更を、設定時間にわたってモーフィング処理を行って実現してもよい。なお、設定時間は操作部１０３を用いて操作者が任意に設定できるようにしてもよい。また、強調度やモーフィングによる画像の変化量は一定でなくともよく、設定時間の後半で強調度を変更したり、モーフィングを実行したりしてもよい。
【００２９】
＜第５実施形態＞
第３実施形態では、強調ステレオＸ線画像の表示においてこれからステレオ表示されるＸ線画像を用いずに過去のＸ線画像を用いる構成を説明した。この場合、Ｘ線撮影に先立って被検者の識別情報や撮影部位が設定されると、これらの撮影情報から強調ステレオＸ線画像の表示に適したＸ線画像を選択することができる。したがって、強調ステレオＸ線画像の表示に過去のＸ線画像を用いる場合、ステレオ表示するＸ線画像の取得（撮影）に先立って強調ステレオＸ線画像を表示するようにしてもよい。
また、そのように取得に先立って強調ステレオＸ線画像を表示した場合、通常のステレオＸ線画像の表示を行うべくＸ線画像を撮影または取得したことに応じて強調ステレオＸ線画像から通常のステレオＸ線画像への切り替えが実行されるようにしてもよい。このような構成によれば、操作者がステレオＸ線画像の観察に慣れた任意のタイミングで撮影を行うことで、撮影されたＸ線画像の通常のステレオ表示が実行されることになり、操作者は撮影後直ちに、その撮影画像をステレオ画像として観察することができる。
【００３０】
＜第６実施形態＞
上記各実施形態において、平面／ステレオ切替ボタン３０５を押下することで、操作者が任意のタイミングでＸ線画像による平面表示と、一対のＸ線画像から得られるＸ線ステレオ画像によるステレオ表示を切替えることができる。第６実施形態では、表示ウィンドウ３０１上に、画像表示部３０２における表示がＸ線画像の平面表示かステレオＸ線画像のステレオ表示であるかを操作者に判別させる判別マークを表示する。
【００３１】
図５は表示画像の判別マークを表示するＧＵＩ例である。画像表示部３０２における表示の種類（たとえばＸ線画像の平面表示かステレオＸ線画像のステレオ表示か）を、判別マーク５０１として表示する。表示中の画像が平面表示である場合は平面表示マーク５０２が選択され、ステレオ表示である場合はステレオ表示マーク５０３が選択され、表示される。判別マーク５０１は、平面／ステレオ切替ボタン３０５の押下によって画像表示部３０２における表示が平面表示とステレオ表示の間で切り替わることに応じて切り替わる。なお、判別マーク５０１は、たとえば平面／ステレオ切替ボタン３０５内に表示されるようにしても良い。
【００３２】
＜第７実施形態＞
第１実施形態において、左目画像を撮影するための第１Ｘ線源１０７および右目画像を撮影するための第２Ｘ線源１０８を有するＸ線発生部１０６とセンサ部１０９が一対である例を示したが、これに限られるものではない。以下、図６を参照して、Ｘ線発生部とセンサ部の他の構成についていくつかの例を説明する。
【００３３】
Ｘ線発生装置６００は、一対のＸ線源を有するＸ線発生部と２つのセンサ部を有する。すなわち、Ｘ線発生装置６００は、左目画像撮影用のＸ線源６０２と右目画像撮影用のＸ線源６０３を有するＸ線発生部６０１と、左目画像取得用のセンサ部６０４と右目画像取得用のセンサ部６０５を有する。このように、複数のＸ線源をもつ一つのＸ線発生部に対して複数のセンサ部を備えた構成を用いることもできる。
【００３４】
また、Ｘ線発生装置６１０は、左目画像撮影用のＸ線源を有するＸ線発生部６１２と右目画像撮影用のＸ線源６１３を有するＸ線発生部６１１と、センサ部６１５を有している。このように、一つのＸ線源をもつ複数のＸ線発生部に対し、一つのセンサ部を設けた構成であってもよい。
【００３５】
Ｘ線発生装置６２０は、左目画像撮影用のＸ線源を有するＸ線発生部６２２と右目画像撮影用のＸ線源を有するＸ線発生部６２１と、左目画像取得用のセンサ部６２６と右目画像取得用のセンサ部６２５を有する。このように、一つのＸ線源をもつ複数のＸ線発生部と、複数のセンサ部を設けた構成であってもよい。
【００３６】
Ｘ線発生装置６３０は、一つのＸ線源６３２を有するＸ線発生部６３１とセンサ部６３３を有する。この場合、第四のＸ線発生装置６３０のように、一つのＸ線源をもつ一つのＸ線発生部とひとつのセンサ部で構成されていても良い。この場合、Ｘ線発生部６３１が移動することにより、左目用および右目用の画像が取得される。或いは、センサ部を移動して左目用および右目用の画像を取得するようにしてもよい。このように、Ｘ線発生部とセンサ部のどちらかまたは両方を移動させる構成を用いることも可能である。
【００３７】
以上の例に限らず、Ｘ線源およびＸ線発生部およびセンサ部は１対１または多対多などの関係で実現されても良い。
【００３８】
以上のように、上記各実施形態では、検査または読影でステレオＸ線撮影画像を利用する場合に、そのＸ線撮影画像あるいはそれに類似したＸ線画像を強調処理してステレオ表示する。これにより、操作者は迅速にステレオ視に慣れることができる。その結果、観察者は撮影されたＸ線ステレオ静止画および動画において骨や内臓などの組織の輪郭の把握を迅速に行えるようになり、患者の待機時間や手術中の動画撮影時間を短くすることができ、患者への無効被ばくを減少することができる。
【００３９】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００４０】
１０１：制御装置、１０２：表示部、１０３：操作部、１０４：制御部、１０５：Ｘ線画像撮影装置、１０６：Ｘ線発生部、１０７：第１Ｘ線源、１０８：第２Ｘ線源、１０９：センサ部１１０：左目用のＸ線画像１１０、１１１：右目用のＸ線画像
【図１】
2015188534.tif 000003
【図２】
2015188534.tif 000004
【図３】
2015188534.tif 000005
【図４】
2015188534.tif 000006
【図５】
2015188534.tif 000007
【図６】
2015188534.tif 000008